(57)【要約】【課題】各種電子機器の操作パネル等に使用されるパネルスイッチ用可動接点体及びそれを用いたパネルスイッチに関し、使用部品点数が少なく、スイッチ組立て作業性に優れた安価なものを提供することを目的とする。【解決手段】下面に接着剤１２Ａを塗布した絶縁フィルム製のシート１２に弾性金属板製のドーム状の可動接点１の上面凸部を貼付し、シート１２の接着面に貼付したセパレータ１３によって可動接点１の下面を塞ぐ構成とすることにより、使用部品点数が少なく、スイッチ組立て作業性に優れた安価なパネルスイッチ用可動接点体及びそれを用いたパネルスイッチが得られる。【選択図】図１
2007109674.tif 000002
【特許請求の範囲】
【請求項１】
下面に接着剤を塗布した絶縁フィルム製のシートと、上記シートの接着面に上面凸部が覆われて貼付された弾性金属薄板製のドーム状の可動接点と、上記シートの接着面に貼付され上記可動接点の下面を塞ぐセパレータからなるパネルスイッチ用可動接点体。
【請求項２】
絶縁フィルム製のシートの上面に導電性被膜を形成した請求項１記載のパネルスイッチ用可動接点体。
【請求項３】
可動接点の外周下端とシートの接着面を浮かせて、シートに可動接点を貼付した請求項１または２記載のパネルスイッチ用可動接点体。
【請求項４】
シートの下面の接着剤が、可動接点の外周下端部周辺には塗布されていないようにした請求項１または２記載のパネルスイッチ用可動接点体。
【請求項５】
可動接点の中央頂点部に小孔を設け、この小孔の周囲のシートの下面には接着剤が塗布されていないようにした請求項１〜４のいずれか一つに記載のパネルスイッチ用可動接点体。
【請求項６】
可動接点の中央頂点部のシートの上面に押圧用突部を設けた請求項１〜５のいずれか一つに記載のパネルスイッチ用可動接点体。
【請求項７】
セパレータを剥がした請求項１〜６のいずれか一つに記載のパネルスイッチ用可動接点体を、中央固定接点と外側固定接点を設けた配線基板に、可動接点の外周下端が外側固定接点上に載り中央頂点部が中央固定接点と対向するようにシートの接着剤によって貼付したパネルスイッチ。
【発明の詳細な説明】
【技術分野】
【０００１】
本発明は、各種電子機器の操作パネル等に使用されるパネルスイッチ用可動接点体及びそれを用いたパネルスイッチに関するものである。
【背景技術】
【０００２】
従来のパネルスイッチ用可動接点体及びそれを用いたパネルスイッチについて、図８及び図９を用いて説明する。
【０００３】
図８（ａ）は従来のパネルスイッチ用可動接点体の分解斜視図、図８（ｂ）は同断面図であり、同図において、１は弾性金属薄板製のドーム状可動接点、２は下面に塗布した接着剤２Ａにセパレータ３が貼付され複数の孔２Ｂを設けた絶縁フィルム製のスペーサであり、このスペーサ２の孔２Ｂに挿入された可動接点１が、接着剤４Ａを下面に塗布した絶縁フィルム製のシート４に上面凸部を覆われて、スペーサ２の上面に固着されている。
【０００４】
また、５は可動接点１の保管や輸送時の空気中のガスによる腐食や異物の付着を防止するための絶縁フィルム製の保護シートで、上面に塗布した接着剤５Ａによってセパレータ３を介してスペーサ２の下面に貼付され、可動接点１の下面を塞いで、パネルスイッチ用可動接点体１０が構成されている。
【０００５】
図９（ａ）は従来のパネルスイッチ用可動接点体を用いたパネルスイッチの分解斜視図、図９（ｂ）は同断面図であり、同図において、６は上面に中央固定接点６Ａと外側固定接点６Ｂを設けた配線基板で、保護シート５とセパレータ３を剥がしたパネルスイッチ用可動接点体１０Ａが、可動接点１の外周下端が外側固定接点６Ｂ上に載り中央頂点部が中央固定接点６Ａと対向するように、スペーサ２下面の接着剤２Ａによって配線基板６に貼付され、パネルスイッチ１１が構成されている。
【０００６】
上記構成において、パネルスイッチ１１上方に配置された可撓性のゴムまたは樹脂製の押ボタン７の操作部７Ａを押圧すると、操作部７Ａの下面の押圧部７Ｂがシート４を介して可動接点１を押圧し、可動接点１が反転動作を行って中央部が中央固定接点６Ａに接することによって、配線基板６の中央固定接点６Ａと外側固定接点６Ｂの電気的接続が行われ、また押ボタン７への押圧力を除去すると、可動接点１の弾性復帰力により可動接点１の中央部が中央固定接点６Ａから離れて図９（ｂ）のＯＦＦ状態に復帰するように構成されたものである。
【発明の開示】
【発明が解決しようとする課題】
【０００７】
しかしながら上記従来のパネルスイッチ用可動接点体及びそれを用いたパネルスイッチにおいては、可動接点１やシート４の他、スペーサ２、保護シート５と構成部品点数が多く、また各々の部品の貼付作業が多いためスイッチ組立て工数も煩雑になり、コスト高であり、更にパネルスイッチを介して各種電子機器に入り込む静電気に対して電子機器側で対策が必要であるという課題があった。
【０００８】
本発明はこのような従来の課題を解決するものであり、構成部品点数が少なく、スイッチ組立て作業性に優れ、かつ静電気対策を施した安価なパネルスイッチ用可動接点体及びそれを用いたパネルスイッチを提供することを目的とするものである。
【課題を解決するための手段】
【０００９】
上記目的を達成するために本発明は、以下の構成を有するものである。
【００１０】
本発明の請求項１に記載の発明は、下面に接着剤を塗布した絶縁フィルム製のシートと、上記シートの接着面に上面凸部が覆われて貼付された弾性金属薄板製のドーム状の可動接点と、上記シートの接着面に貼付され上記可動接点の下面を塞ぐセパレータからなる構成のパネルスイッチ用可動接点体としたもので、構成部品点数が少なく、スイッチ組立て作業性に優れた安価なパネルスイッチ用可動接点体が得られるという作用を有する。
【００１１】
請求項２に記載の発明は、請求項１記載の発明において、絶縁フィルム製のシートの上面に導電性被膜を形成した構成のものであり、外部からパネルスイッチを通って電子機器内に入り込もうとする静電気を、上記導電性被膜を介してアースに流すことができるため、電子機器側での静電気対策が不要になるという作用を有する。
【００１２】
請求項３に記載の発明は、請求項１または２記載の発明において、可動接点の外周下端とシートの接着面を浮かせて、シートに可動接点を貼付した構成のもので、可動接点内面へのシートの接着剤の侵入を防止するとともに、可動接点の上面凸部全面がシートに貼付された場合に比べ可動接点の良好な動作感触が得られるという作用を有する。
【００１３】
請求項４に記載の発明は、請求項１または２記載の発明において、シートの下面の接着剤が、可動接点の外周下端部周辺には塗布されていないようにした構成のもので、可動接点内面へのシートの接着剤の侵入防止をより確実なものとすることができるという作用を有する。
【００１４】
請求項５に記載の発明は、請求項１〜４のいずれか一つに記載の発明において、可動接点の中央頂点部に小孔を設け、この小孔の周囲のシートの下面には接着剤が塗布されていないようにした構成のもので、パネルスイッチ用可動接点体を配線基板に貼付してパネルスイッチとした際、可動接点の小孔の外周端面によって配線基板の中央固定接点との接触が行われるため接触が確実なものとなり、また可動接点の小孔の周囲のシートの下面に接着剤が塗布されていないシートの露出部を設けることによって、小孔からの可動接点の内面への接着剤の侵入を防止することができるという作用を有する。
【００１５】
請求項６に記載の発明は、請求項１〜５のいずれか一つに記載の発明において、可動接点の中央頂点部のシートの上面に押圧用突部を設けた構成のもので、パネルスイッチに押ボタンを組立てる際に可動接点と押ボタンに中心ずれが生じた場合でも、可動接点には押圧用突部によって常に中央部に押圧力が働くため、可動接点の確実な反転動作を行わせることができるという作用を有する。
【００１６】
請求項７に記載の発明は、セパレータを剥がした請求項１〜６のいずれか一つに記載のパネルスイッチ用可動接点体を、中央固定接点と外側固定接点を設けた配線基板に、可動接点の外周下端が外側固定接点上に載り中央頂点部が中央固定接点と対向するようにシートの接着剤によって貼付したパネルスイッチとした構成のもので、構成部品点数が少ないパネルスイッチ用可動接点体を用いてパネルスイッチを構成しているため、安価なパネルスイッチが得られ、また配線基板へのパネルスイッチ用可動接点体の貼付作業も容易に行うことができるという作用を有する。
【発明の効果】
【００１７】
以上のように本発明によれば、構成部品点数が少なく、またスイッチ組立て作業性に優れ、かつ静電気対策を施した安価なパネルスイッチ用可動接点体及びそれを用いたパネルスイッチを得ることができる。
【発明を実施するための最良の形態】
【００１８】
以下、本発明の実施の形態について、図１〜図７を用いて説明する。
【００１９】
なお、従来の技術の項で説明した構成と同一構成の部分には同一番号を付し、その詳細な説明を省略する。
【００２０】
（実施の形態１）
図１（ａ）は本発明の第一の実施の形態によるパネルスイッチ用可動接点体の分解斜視図、図１（ｂ）は同断面図であり、同図において、１は弾性金属薄板製のドーム状可動接点、１２は下面に接着剤１２Ａを塗布した絶縁フィルム製のシートであり、接着剤１２Ａによって可動接点１がシート１２に上面凸部を覆われて固着されており、また、１３は可動接点１の保管や輸送時の空気中のガスによる腐食や異物の付着を防止するための紙または絶縁フィルム製のセパレータで、接着剤１２Ａによってシート１２の下面に貼付されて可動接点１の下面を塞ぎ、パネルスイッチ用可動接点体２０が構成されている。
【００２１】
図２（ａ）は本実施の形態によるパネルスイッチ用可動接点体を用いたパネルスイッチの分解斜視図、図２（ｂ）は同断面図であり、同図において、６は上面に中央固定接点６Ａと外側固定接点６Ｂを設けた配線基板で、セパレータ１３を剥がしたパネルスイッチ用可動接点体２０Ａが、可動接点１の外周下端が外側固定接点６Ｂ上に載り中央頂点部が中央固定接点６Ａと対向するようにシート１２の下面の接着剤１２Ａによって配線基板６に貼付され、パネルスイッチ２１が構成されている。
【００２２】
上記構成において、パネルスイッチ上方に配置された可撓性のゴムまたは樹脂製の押ボタン７の操作部７Ａを押圧すると、シート１２を介して操作部７Ａの下面の押圧部７Ｂが押圧された可動接点１が反転動作を行い、中央部が中央固定接点６Ａに接することによって、配線基板６の中央固定接点６Ａと外側固定接点６Ｂの電気的接続が行われ、また押ボタン７への押圧力を除去すると、可動接点１の弾性復帰力により可動接点１の中央部が中央固定接点６Ａから離れて図２（ｂ）のＯＦＦ状態に復帰することは従来の技術と同様である。
【００２３】
このように本実施の形態によれば、可動接点１とシート１２及びセパレータ１３のわずか３点の部品でパネルスイッチ用可動接点体が構成されているために構成部品点数が少なく、各々の部品の貼付作業も少ないスイッチ組立て作業性に優れた安価なパネルスイッチ用可動接点体が得られ、またこのパネルスイッチ用可動接点体２０を用いてパネルスイッチ２１を構成することにより、安価なパネルスイッチが得られるとともに、配線基板６へのパネルスイッチ用可動接点体２０の貼付作業も容易に行うことができる。
【００２４】
（実施の形態２）
図３（ａ）は本発明の第二の実施の形態によるパネルスイッチ用可動接点体の断面図、図３（ｂ）は同可動接点体を用いたパネルスイッチの断面図であり、本実施の形態のパネルスイッチ用可動接点体３０は、上述した第一の実施の形態のパネルスイッチ用可動接点体２０のシート１２の上面に、銀系もしくはカーボン系のペーストにより導電性被膜３１を印刷形成しているものである。
【００２５】
そして、上記構成のパネルスイッチ用可動接点体３０を用いて製作したパネルスイッチ３２（図３（ｂ）の断面図参照）は、上記可動接点体３０のシート１２の上面全体に形成した導電性被膜３１を介して、押ボタン７の操作部７Ａを押圧する際等に発生する静電気を完全にアースに逃がすことができるようになるため、本パネルスイッチ３２を搭載する電気機器側においては、パネルスイッチ３２を取り付ける箇所に静電気対策を施さなくても良く、これにより従来必要であった静電気対策用の部品およびその取付スペースを無くすことができるので、容易に小型化を図ることができると共に、静電気対策用の部品材料費および組立工数等を大きく低減でき、導電性被膜３１付のパネルスイッチ３２が多少コスト高となってもそのコストアップ分は十分に吸収でき、総合的に判断すると完全に静電気対策を施した小型な電子機器を安価に製造できるようになるものである。
【００２６】
（実施の形態３）
図４（ａ）は本発明の第三の実施の形態によるパネルスイッチ用可動接点体の断面図、図４（ｂ）は同可動接点体を用いたパネルスイッチの断面図であり、同図において、シート１２に上面凸部を覆われた可動接点１の外周下端部と、シート１２の接着剤１２Ａとの間を浮かせ、空隙１４を設けてシート１２に可動接点１が貼付されている。
【００２７】
このように、可動接点１の外周下端部とシート１２の接着面に空隙１４を設けることで、シート１２の接着剤１２Ａが可動接点１の外周下端部から内面へ侵入し、可動接点１と中央固定接点６Ａや外側固定接点６Ｂとの接触を妨げることを防止するとともに、可動接点１の上面凸部全面がシート１２に貼付された場合に比べ、シート１２によって可動接点１の反転動作が阻害されることなく良好な動作感触を得ることができる。
【００２８】
また、図５（ａ）のパネルスイッチ用可動接点体の分解斜視図、図５（ｂ）の同可動接点体を用いたパネルスイッチの断面図のように、シート１２の可動接点１の外周下端部周辺に、接着剤１２Ａが塗布されていないシート露出部１２Ｂを設けることにより、可動接点１の外周下端部から内面への接着剤１２Ａの侵入防止をより確実なものとすることができる。
【００２９】
（実施の形態４）
図６（ａ）は本発明の第四の実施の形態によるパネルスイッチ用可動接点体の断面図、図６（ｂ）は同可動接点体を用いたパネルスイッチの断面図であり、同図において、可動接点１の中央頂点部には小孔１Ａが設けられ、この小孔１Ａの周囲のシート１２下面には接着剤１２Ａが塗布されていないシート露出部１２Ｃが設けられている。
【００３０】
上記構成において、パネルスイッチ上方に配置された押ボタン（図示せず）の操作部を押圧すると、シート１２を介して操作部下面の押圧部に押圧された可動接点１が反転動作を行って、中央部が中央固定接点６Ａに接することは従来の技術と同様であるが、中央固定接点６Ａとの接触は可動接点１の中央頂点部の小孔１Ａの外周端面によって行われるため、中央固定接点６Ａとの接触がより確実なものとなる。
【００３１】
また、可動接点１の小孔１Ａ周囲のシート１２の下面に接着剤１２Ａが塗布されていないシート露出部１２Ｃを設けることによって、小孔１Ａからの可動接点１の内面への接着剤１２Ａの侵入を防止することができる。
【００３２】
（実施の形態５）
図７（ａ）は本発明の第五の実施の形態によるパネルスイッチ用可動接点体の断面図、図７（ｂ）は同可動接点体を用いたパネルスイッチの断面図であり、同図において、可動接点１の中央頂点部のシート１２上面には押圧用突部１２Ｄが設けられ、押ボタン７の下面には広い押圧面を有する押圧部７Ｃが設けられている。
【００３３】
上記構成において、パネルスイッチ上方に配置された押ボタン７の操作部７Ａを押圧すると、操作部７Ａ下面の押圧部７Ｃがシート１２の押圧用突部１２Ｄを押圧し、この押圧用突部１２Ｄが可動接点１を押圧することによって、可動接点１が反転動作を行って中央部が中央固定接点６Ａに接し、中央固定接点６Ａと外側固定接点６Ｂの電気的接続が行われる。
【００３４】
このように、押ボタン７の押圧部７Ｃが、シート１２の上面の押圧用突部１２Ｄを介して可動接点１を押圧する構成となっているため、押ボタン７とパネルスイッチ２１を組立てる際に可動接点１と押圧部７Ｃに中央ずれが生じた場合でも、可動接点１には押圧用突部１２Ｄによって常に中央部に押圧力が働くため、可動接点１の確実な反転動作を行わせることができる。
【産業上の利用可能性】
【００３５】
本発明によるパネルスイッチ用可動接点体及びそれを用いたパネルスイッチによれば、構成部品点数が少なく、またスイッチ組立て作業性に優れ、かつ静電気対策を施した安価なものを実現することができるという有利な効果を有し、各種電子機器の操作パネル等の構成時などに有用である。
【図面の簡単な説明】
【００３６】
【図１】（ａ）本発明の第一の実施の形態によるパネルスイッチ用可動接点体の分解斜視図、（ｂ）同断面図
【図２】（ａ）同可動接点体を用いたパネルスイッチの分解斜視図、（ｂ）同断面図
【図３】（ａ）本発明の第二の実施の形態によるパネルスイッチ用可動接点体の断面図、（ｂ）同可動接点体を用いたパネルスイッチの断面図
【図４】（ａ）本発明の第三の実施の形態によるパネルスイッチ用可動接点体の断面図、（ｂ）同可動接点体を用いたパネルスイッチの断面図
【図５】（ａ）シート露出部を設けたパネルスイッチ用可動接点体の分解斜視図、（ｂ）同可動接点体を用いたパネルスイッチの断面図
【図６】（ａ）本発明の第四の実施の形態によるパネルスイッチ用可動接点体の断面図、（ｂ）同可動接点体を用いたパネルスイッチの断面図
【図７】（ａ）本発明の第五の実施の形態によるパネルスイッチ用可動接点体の断面図、（ｂ）同可動接点体を用いたパネルスイッチの断面図
【図８】（ａ）従来のパネルスイッチ用可動接点体の分解斜視図、（ｂ）同断面図
【図９】（ａ）従来のパネルスイッチの分解斜視図、（ｂ）同断面図
【符号の説明】
【００３７】
１  可動接点
１Ａ  小孔
６  配線基板
６Ａ  中央固定接点
６Ｂ  外側固定接点
７  押ボタン
７Ａ  操作部
７Ｂ，７Ｃ  押圧部
１２  シート
１２Ａ  接着剤
１２Ｂ，１２Ｃ  シート露出部
１２Ｄ  突部
１３  セパレータ
１４  空隙
２０，３０  パネルスイッチ用可動接点体
２０Ａ  セパレータを剥がしたパネルスイッチ用可動接点体
２１，３２  パネルスイッチ
３１  導電性被膜
【図１】
2007109674.tif 000003
【図２】
2007109674.tif 000004
【図３】
2007109674.tif 000005
【図４】
2007109674.tif 000006
【図５】
2007109674.tif 000007
【図６】
2007109674.tif 000008
【図７】
2007109674.tif 000009
【図８】
2007109674.tif 000010
【図９】
2007109674.tif 000011